(57)【特許請求の範囲】
【請求項１】
外周面に係止溝が形成された接続部材を先端に結合したホースと、前記接続部材が差し込まれる接続孔と、湯水を外部へ吐水する吐水部材を流路へ装着するための開口部とを形成したシャワーヘッドと、前記接続部材の係止溝に係合するリングとからなり、前記接続部材をシャワーヘッドの接続孔から流路へ臨むように差し込み、リングを開口部から流路へ挿入して接続部材の係止溝へ係合することで、ホースをシャワーヘッドへ接続することを特徴とするシャワーヘッドとホースの接続構造。
【請求項２】
前記リングは接続部材の係止溝から取り外し自在としたことを特徴とする請求項１記載のシャワーヘッドとホースの接続構造。
【発明の詳細な説明】
【０００１】
【発明の属する技術分野】
本発明は、シャワーヘッドとホースの接続構造に関する。
【０００２】
【従来の技術】
従来、浴室，洗面台又は流し台等で使用するシャワーヘッドと水栓等から湯水を供給するホースの接続構造として公知のものに、図４のものがある。この図４について簡単に説明すると、蛇腹状のホース２０の先端に結合した接続筒２１は、外周面に雄ねじ部２２を形成し、シャワーヘッド２４は円筒状の把手部２５の内周面に雌ねじ部２６を形成し、接続筒２１の雄ねじ部２２外周に水密用のシール材２３を装着した状態で、接続筒２１を把手部２５の内部に挿入し、雄ねじ部２２をシャワーヘッド２４の雌ねじ部２６に螺着することで、ホース２０をシャワーヘッド２４へ接続するものである。
【０００３】
上記のものにあっては、シャワーヘッドとホースを接続するには、ホースの先端に結合した接続筒の雄ねじ部をシャワーヘッドの内周面に形成した雌ねじ部に螺着するため、シャワーヘッドを何度も回転させなければならず接続作業に時間がかかり、作業性の悪いものであった。
【０００４】
また、シャワーヘッドは把手部の内周面に長い雌ねじ部を形成する必要があるので、把手部の全長を長くし、外形を大径とする必要があり、把手部が大径であると握りづらくなり、しかもシャワーヘッドの全体をコンパクトにすることができず、デザインの制約となるものであった。
【０００５】
【発明が解決しようとする課題】
本発明が解決しようとする課題は、シャワーヘッドとホースの接続を迅速に行えるようにし、しかもシャワーヘッドをコンパクトにして使用感及び美観を向上させることである。
【０００６】
【課題を解決するための手段】
本発明は請求項１では、外周面に係止溝が形成された接続部材を先端に結合したホースと、前記接続部材が差し込まれる接続孔と、湯水を外部へ吐水する吐水部材を流路へ装着するための開口部とを形成したシャワーヘッドと、前記接続部材の係止溝に係合するリングとからなり、前記接続部材をシャワーヘッドの接続孔から流路へ臨むように差し込み、リングを開口部から流路へ挿入して接続部材の係止溝へ係合することで、ホースをシャワーヘッドへ接続するものである。
【０００７】
請求項２では、前記リングは接続部材の係止溝から取り外し自在としたものでである。
【０００８】
【発明の実施の形態】
以下、本発明の実施の形態を図に基づいて詳細に説明する。
この発明のシャワーヘッド１は図１に示すように中空屈曲形状で、先端の内部に湯水が通過する流路２が形成され、該流路２の下部には湯水を外部へ吐水するための吐水部材４が装着される開口部３が形成され、後述するホース１７を接続するため基端に形成した円筒形の把手部５は、内部に形成した接続孔６に円筒状の円筒部材７を収容し、該円筒部材７は内周面にセレーション７ａが刻設され、この円筒部材７と前記流路２の間に環状の壁８が形成され、該壁８には後述する接続部材１０の先端を流路２へ挿通するための挿通孔９を穿設している。
【０００９】
前記接続部材１０は内部に湯水の通路１１が形成された略円筒形で、ホース１７の先端に結合する大径部１２と、該大径部１２の先端に突出し、大径部１２よりやや小径に形成した小径部１３と、大径部１２と小径部１３の間で大径部１２よりさらに大径に形成した環状の鍔部１４とからなり、該鍔部１４は前記シャワーヘッド１の壁８に穿設した挿通孔９より大径に形成されているため、該挿通孔９を挿通できないが、小径部１３は挿通孔９より小径に形成されているため、該挿通孔９を挿通して流路２に臨ませることができる。小径部１３の略先端の外周面には、先端から係止溝１３ａと環状溝１３ｂとが併設して環状に形成されており、該環状溝１３ｂには漏水防止用のシール材１３ｃが装着され、流路２に臨ませた係止溝１３ａに対し、シャワーヘッド１の開口部３から後述するリング１６を係合させることができる。
【００１０】
前記リング１６は、弾力性を有する材質で略Ｕ字形に屈曲して形成され、図２に示すように外径をシャワーヘッド１の壁８に穿設した挿通孔９より大径とすることで、接続部材１０の係止溝１３ａにこのリング１６を係合させれば、接続部材１０はシャワーヘッド１に接続され、ホース１７はシャワーヘッド１から抜けることがないようにしている。
【００１１】
前記ホース１７は内側の合成樹脂製ホース１７ａと、該合成樹脂製ホース１７ａを覆い外周面に螺旋状の凹凸溝１７ｃを一定の間隔で多数形成した金属製ホース１７ｂとの間に狭持された固定筒１８の外周面に溝１８ａを形成し、切欠部が形成されている抜け止めリング１９を前記溝１８ａに固定筒１８の外周面より突出するように弾力的に装着している。前記接続部材１０は大径部１２の内周に形成された通路１１の内周面に、前記抜け止めリング１９が弾力的に装着される溝１５を形成しているので、ホース１７の先端を接続部材１０の通路１１に挿入すると、抜け止めリング１９は溝１５に弾力的に装着され、接続部材１０はホース１７に対し回転自在で、かつ容易に外れないようにしている。
【００１２】
先端に接続部材１０を結合したホース１７をシャワーヘッド１に接続するには、図２に示すようにまず接続部材１０をシャワーヘッド１の接続孔６に挿入する。すると接続部材１０の鍔部１４が円筒部材７に当接し、小径部１３は壁８の挿通孔９を挿通して流路２へ臨む。
【００１３】
次にシャワーヘッド１の開口部３から流路２へ向けてリング１６を挿入し、接続部材１０の係止溝１３ａに弾力的に係合すれば、接続部材１０はシャワーヘッド１へ接続される。
【００１４】
そして図３に示すように、シャワーヘッド１の開口部３から流路２に吐水部材４を装着すれば、シャワーヘッド１とホース１７の接続は終了する。
【００１５】
なお、シャワーヘッド１からホース１７を外すには、シャワーヘッド１の開口部３から装着した吐水部材４を取り外し、流路２に指を入れて接続部材１０からリング１６を引き抜けば、ホース１７をシャワーヘッド１から引き抜くだけで容易に分解することができる。従って、ホースが損傷したり、シャワーヘッドのみを交換する場合に、容易に分解して交換することができる。
【００１６】
【発明の効果】
本発明では請求項１では、外周面に係止溝が形成された接続部材を先端に結合したホースと、前記接続部材が差し込まれる接続孔と、湯水を外部へ吐水する吐水部材を流路へ装着するための開口部とを形成したシャワーヘッドと、前記接続部材の係止溝に係合するリングとからなり、前記接続部材をシャワーヘッドの接続孔から流路へ臨むように差し込み、リングを開口部から流路へ挿入して接続部材の係止溝へ係合することで、ホースをシャワーヘッドへ接続することができる。従ってシャワーヘッドとホースの接続は、リングを接続部材の係止溝に係合させるだけの簡単な作業で行うことができ、短時間で容易に接続できるので、作業性が大幅に向上する。また、シャワーヘッドは従来のように把手部の内部にねじを形成する必要がなく、ホース先端の接続部材と流路でリングにより接続するので、コンパクトにすることができ、手に持って容易に使用することができ、しかもデザインの自由度が増し、使用感及び美観を向上させることができる。
【００１７】
また、請求項２では接続作業だけでなく分解作業も容易に行うことができ、ホースやシャワーヘッドの交換を容易に行うことができる。
【図面の簡単な説明】
【図１】本発明のシャワーヘッドとホースの分解断面図である。
【図２】図１のシャワーヘッドへホースを接続した状態の説明図である。
【図３】図１のシャワーヘッドを組立てた状態の説明図である。
【図４】従来技術の説明図である。
【符号の説明】
１                      シャワーヘッド
２                      流路
３                      開口部
４                      吐水部材
６                      接続孔
１０                    接続部材
１３ａ                  係止溝
１６                    リング
１７                    ホース
【図１】
0003732750.tif 000002
【図２】
0003732750.tif 000003
【図３】
0003732750.tif 000004
【図４】
0003732750.tif 000005